(57)【要約】【課題】荷運搬台車の荷台部の側辺から、周囲枠の内側に縦桟材と横桟材９とを格子状に配設して成るパネルが立設された荷運搬台車において、溶接による横桟材９の取り付けを容易にしながら精度の良いパネルを製造し得るようにする。【解決手段】前記パネルの周囲枠のパイプ材から構成された縦支柱部１１ａに、当該縦支柱部１１ａの周壁を部分的に窪ませて形成された横桟材位置決め用凹部１３が設けられ、この凹部１３内に前記横桟材９の端部を嵌合して互いに溶接により固着する構成。【選択図】図５
2007161132.tif 000002
【特許請求の範囲】
【請求項１】
荷運搬台車の荷台部の側辺から、周囲枠の内側に縦桟材と横桟材とを格子状に配設して成るパネルが立設された荷運搬台車において、前記パネルの周囲枠のパイプ材から構成された縦支柱部に、当該縦支柱部の周壁を部分的に窪ませて形成された横桟材位置決め用凹部が設けられ、この凹部内に前記横桟材の端部を嵌合して互いに溶接により固着して成る、荷運搬台車のパネル構造。
【請求項２】
前記パネルの横桟材が、上下２つのパイプ状部分と両パイプ状部分をつなぐ垂直壁部とから成るメガネ形断面に構成されている、請求項１に記載の荷運搬台車のパネル構造。
【請求項３】
前記横桟材の両端部が斜め内側に折曲され、当該横桟材の端部と前記縦支柱部側の横桟材位置決め用凹部との嵌合により、当該横桟材の端部位置と横桟材全体の姿勢とが規制されている、請求項１又は２に記載の荷運搬台車のパネル構造。
【発明の詳細な説明】
【技術分野】
【０００１】
本発明は、荷運搬台車の荷台部の側辺から立設されているパネルの構造に関するものである。
【背景技術】
【０００２】
荷運搬台車のパネルとして、特許文献１や特許文献２に示されるように、周囲枠の内側に縦桟材と横桟材とを格子状に配設して成るパネルが知られている。これら特許文献に記載された従来の荷運搬台車のパネル構造では、横桟材として帯状鉄板を使用する場合（特許文献１）、横桟材として溝形鋼を使用する場合（特許文献２）の何れにおいても、これら横桟材と周囲枠の縦支柱部とは、パイプ材から構成された縦支柱部の円柱状周面に横桟材の端部を単に当接させて両者の接合箇所を溶接する方法で互いに固着していた。
【特許文献１】特開２００２−２８４０１４号公報
【特許文献２】実公平６−２８３７１号公報
【発明の開示】
【発明が解決しようとする課題】
【０００３】
上記のような従来の荷運搬台車のパネル構造では、周囲枠の縦支柱部と横桟材端部との溶接に際して周囲枠の縦支柱部に対し横桟材端部を何らかの補助手段を介して位置決めしなければならず、溶接作業に手間と時間を要し、コストアップにつながっていた。
【課題を解決するための手段】
【０００４】
本発明は上記のような従来の問題点を解消し得る荷運搬台車のパネル構造を提供することを目的とするものであって、その手段を後述する実施形態の参照符号を付して示すと、荷運搬台車の荷台部１の側辺から、周囲枠７の内側に縦桟材８と横桟材９とを格子状に配設して成るパネル４〜６が立設された荷運搬台車において、前記パネル４〜６の周囲枠７のパイプ材から構成された縦支柱部１１ａ，１１ｂに、当該縦支柱部１１ａ，１１ｂの周壁を部分的に窪ませて形成された横桟材位置決め用凹部１３が設けられ、この凹部１３内に前記横桟材９の端部を嵌合して互いに溶接により固着する構成となっている。
【０００５】
上記構成の本発明を実施するについて、具体的には請求項２に記載のように、前記パネル４〜６の横桟材９は、上下２つのパイプ状部分９ａ，９ｂと両パイプ状部分９ａ，９ｂをつなぐ垂直壁部９ｃとから成るメガネ形断面に構成することができる。
【０００６】
又、請求項３に記載のように、前記横桟材９の両端部９ｄ，９ｅは斜め内側に折曲して傾斜させ、当該横桟材９の端部と前記縦支柱部１１ａ，１１ｂ側の横桟材位置決め用凹部１３との嵌合により、当該横桟材９の端部位置と横桟材全体の姿勢とを規制させることができる。
【発明の効果】
【０００７】
上記構成の本発明に係る荷運搬台車のパネル構造によれば、周囲枠の縦支柱部と横桟材端部との溶接に際して周囲枠の縦支柱部の凹部に横桟材端部を嵌合させるだけで、周囲枠の縦支柱部に対して横桟材端部を正確に位置決めすることができ、両者を位置精度良く簡単容易に溶接することができる。しかもパイプ材から構成される門形枠の縦支柱部に孔加工するものではなく、単に周壁を部分的に窪ませて横桟材位置決め用凹部を形成しているの井出、門形枠に大きな強度低下を招くことも無い。
【０００８】
尚、請求項２に記載の構成によれば、横桟材に帯状鉄板や溝形鋼を使用する従来の構成よりもパネル強度を高めることができるだけでなく、縦桟材と横桟材との交叉部における接合箇所が上下２箇所に分かれることになるので、この両者を互いに圧接してスポット溶接する場合の溶接効率を高めることができる。
【０００９】
更に、請求項３に記載の構成によれば、横桟材の内側に交叉して配置される縦桟材をパネルで取り囲まれる荷台部上の荷載置空間に対し外側へ移動させ、前記荷載置空間の容積を大きくすることができるのであるが、この場合、横桟材の端部と前記縦支柱部側の横桟材位置決め用凹部との嵌合により、当該横桟材の端部位置だけでなく横桟材全体の姿勢も規制して、周囲枠面に対し当該横桟材を直角外向きに正確に突出させた状態で周囲枠の縦支柱部に簡単容易に溶接固着することができ、パネルを精度良く組み立てることができる。この請求項３に記載の構成は、特に請求項２に記載の構成と組み合わせて実施するときに効果的である。
【発明を実施するための最良の形態】
【００１０】
以下に本発明の具体的実施例を添付図に基づいて説明すると、図１において、１は平面矩形の荷台２とその四隅下側に位置する移動用車輪３ａ〜３ｄとから成る荷台部であり、４，５は荷台部１の左右両側辺に立設された側パネルであり、６は荷台部１の後側辺に立設された背パネルである。従来周知のようにこの種の荷運搬台車では、後側の左右一対の車輪３ａ，３ｂは背パネル６の底辺左右両端下側に取り付けられ、前側の左右一対の車輪３ｃ，３ｄは、左右両側パネル４，５の底辺前端下側に取り付けられ、荷台２は背パネル６の底辺部材に上下揺動自在に枢着され、左側パネル４は、背パネル６に対し略直角前方向きに取り付けられ、右側パネル５は、背パネル６に対し内側へ水平揺動自在に枢着されている。而して、この荷運搬台車を使用しないときは、荷台２を上方へ直角に起立させて背パネル６の内側に重ねるように折り畳み、その後、起立状態の荷台２を背パネル６との間で挟むように右側パネル５を内側へ折り畳んで、荷運搬台車全体を平面Ｌ形に変形させ、複数台の荷運搬台車を水平方向に入れ子式にネスティングすることができるように構成されている。
【００１１】
上記のような荷運搬台車における各パネル４〜６は、図２にも示すように、周囲枠７と、この周囲枠７の内側に格子状に配設された縦桟材８と横桟材９とから構成され、周囲枠７は、底辺水平部材１０と門形部材１１とから構成されている。尚、図１に示すように、この実施形態での左右両側パネル４，５と背パネル６との相違点は、左右両側パネル４，５が背パネル６よりも巾の狭いもので、図示のように使用される縦桟材８と横桟材９の本数が異なるだけで、基本的な構成は同一である。
【００１２】
以下、図２〜図７に基づいて各パネル４〜６の具体的構成を、背パネル６を例にとって説明すると、底辺水平部材１０には、垂直板部１０ａの下辺から内向きに水平板部１０ｂが延出するアングル材が使用され、門形部材１１は丸パイプ材を門形に曲げ加工したもので、その両縦支柱部１１ａ，１１ｂの下端が底辺水平部材１０の両端で垂直板部１０ａと水平板部１０ｂとの入り隅部に溶接により固着されている。各縦桟材８には、周囲枠７の門形部材１１より小径の丸パイプ材が使用され、その上端部８ａは図３Ｂに示すように若干斜め内向きに折曲され、その上端が門形部材１１の上端水平部１１ｃの下側周面に突き合わせ状態で溶接により固着され、その下端部は、底辺水平部材１０の垂直板部１０ａの内側面に溶接により固着されている。尚、底辺水平部材１０の垂直板部１０ａには、その上端より少し下がった位置に内側に少し突出した、突出表面が平坦な突条部１０ｃが全長にわたって形成されており、この突条部１０ｃの平坦な突出表面に各縦桟材８が圧接状態で溶接されている。
【００１３】
尚、底辺水平部材１０の水平板部１０ｂには、荷台２を上下揺動自在に軸支する一対のヒンジ用軸孔付き起立板部１２が切り起こし形成されている。又、先に説明したようにこの荷運搬台車を平面Ｌ形に折り畳んだとき、右側パネル５の前端の車輪３ｄの取付基板、即ち、右側パネル５における底辺水平部材１０の水平板部１０ｂの下側に取り付けられる車輪取付基板、の右側パネル５より内側に張り出す部分が背パネル６の底辺水平部材１０の下側に入り込むことができなければならない。従って従来は、背パネル６の底辺水平部材１０の両端下側にシムプレートを介在させて車輪３ａ，３ｂの取付用基板を取り付けていたが、この実施形態では、図２に示すように背パネル６における底辺水平部材１０の水平板部１０ｂの両端部１０ｄ、即ち、車輪３ａ，３ｂの取付用基板を取り付ける部分は、一段低くなるように成形して、この水平板部１０ｂの両端部１０ｄの下側に車輪３ａ，３ｂの取付用基板を取り付けるに際してシムプレートを省けるように構成している。
【００１４】
横桟材９は、図７に示すように１枚の帯状鉄板を曲げ加工して横断面メガネ形の棒状体に形成したものであり、互いに並列する２つのパイプ状部分９ａ，９ｂと両パイプ状部分９ａ，９ｂをつなぐ２枚重ねの垂直壁部９ｃとを備え、素材である帯状鉄板の長さ方向と平行な両側縁が垂直壁部９ｃのほぼ中央位置で突き合うように構成されている。勿論、必要に応じて垂直壁部９ｃで互いに重なる鉄板どうしをスポット溶接したり、垂直壁部９ｃのほぼ中央位置で互いに突き合う鉄板の両側縁どうしを溶接することができる。
【００１５】
上記構成の横桟材９は、垂直壁部９ｃにおいて互いに突き合う鉄板の両側縁のある側を内側（パネル４〜６の内側）として２つのパイプ状部分９ａ，９ｂが上下に位置する向きで使用されるもので、両端部９ｄ，９ｅが図４に示すように若干斜め内側に傾斜するように折曲されている。一方、この横桟材９の両端がＴ字形に接合される門形部材１１の両縦支柱部１１ａ，１１ｂには、図５及び図６に示すように横桟材９の両端を門形部材１１の外側から同時に嵌合させることができる横桟材位置決め用凹部１３が、この縦支柱部１１ａ，１１ｂのパイプ材周壁を部分的に窪ませて形成されている。而して、横桟材９は、その両端を門形部材１１の両縦支柱部１１ａ，１１ｂの同一高さに形成されている前記横桟材位置決め用凹部１３に門形部材１１の外側から嵌合当接させて、門形部材１１に対する横桟材９の位置、即ち、縦支柱部１１ａ，１１ｂの高さ方向と周方向の両位置を規制すると共に、門形部材１１に対する横桟材９の両端部９ｄ，９ｅの立ち上がり方向が直角となる姿勢に規制した状態で、当該横桟材位置決め用凹部１３の内面との接合箇所を溶接することにより、門形部材１１の両縦支柱部１１ａ，１１ｂ間に、底辺水平部材１０及び門形部材１１の上端水平部１１ｃと平行に架設されている。
【００１６】
一方、先に説明したように門形部材１１の上端水平部１１ｃと底辺水平部材１０とに両端が固着された縦桟材８に対し前記横桟材９は、当該縦桟材８の内側に直角に交叉しており、図３Ｂに示すように、当該縦桟材８と横桟材９との交叉部で両者を加圧して溶接している。従って、図示のように横桟材９の上下２つのパイプ状部分９ａ，９ｂが縦桟材８によって凹まされると同時に丸パイプ材から成る縦桟材８の周壁も横桟材９の上下２つのパイプ状部分９ａ，９ｂによって凹まされ、両者が互いに接近した状態で溶接されることになる。このとき図示のように、横桟材９の上下２つのパイプ状部分９ａ，９ｂの中間に対応する縦桟材８の周壁部分８ｂを殆ど変形させることなく横桟材９の垂直壁部９ｃに若干の隙間を隔てて対面させるか又は、図示していないが、前記縦桟材８の周壁部分８ｂを横桟材９の垂直壁部９ｃに確実に当接させるように、両者の交叉部を加圧することができる。
【００１７】
尚、本発明においては、横桟材９は、基本的には従来の帯状鉄板をそのまま使用したものでも良いし、溝形鋼を使用したものでも良い。又、場合によっては丸パイプ材や丸棒鋼を横桟材９として使用することもできる。この場合、丸パイプ材や丸棒鋼の両端部は門形部材１１の縦支柱部１１ａ，１１ｂの長さ方向（高さ方向）に長くなるように押しつぶしておくのが望ましい。
【図面の簡単な説明】
【００１８】
【図１】荷運搬台車全体の斜視図である。
【図２】背パネルの正面図である。
【図３】Ａ図は図２のＡ−Ａ線断面図、Ｂ図は同Ａ図の要部の拡大図である。
【図４】Ａ図は図２のＢ−Ｂ線断面図、Ｂ図は図２のＣ−Ｃ線断面図である。
【図５】図４Ａの要部の拡大図である。
【図６】Ａ図は門形部材の縦支柱部の要部を示す立面図、Ｂ図は同Ａ図のＤ−Ｄ線断面図である。
【図７】横桟材の断面形状を示す一部分の斜視図である。
【符号の説明】
【００１９】
１    荷台部
２    荷台
３ａ〜３ｄ    移動用車輪
４，５    側パネル
６    背パネル
７    周囲枠
８    縦桟材
９    横桟材
９ａ，９ｂ    横桟材の２つのパイプ状部分
９ｃ    横桟材の垂直壁部
１０    底辺水平部材
１０ａ    底辺水平部材の垂直板部
１０ｂ    底辺水平部材の水平板部
１１    門形部材
１１ａ，１１ｂ    門形部材の縦支柱部
１１ｃ    門形部材の上端水平部
１３    横桟材位置決め用凹部
【図１】
2007161132.tif 000003
【図２】
2007161132.tif 000004
【図３】
2007161132.tif 000005
【図４】
2007161132.tif 000006
【図５】
2007161132.tif 000007
【図６】
2007161132.tif 000008
【図７】
2007161132.tif 000009